(57)【要約】【課題】  自然現象の変動や人間の動作等のライブ動作情報を、リアルタイムでストレートに光の動作として表現する。【解決手段】  高層ビル等の建造物１の上層部に、多数の色調変化自在な照明器具からなる表示部２を設ける。照明器具の色調を、外部環境から与えられるライブ動作情報、例えば風向・風速センサ３１が検知したライブ風向・風速データ情報に応じてリアルタイムに変化させる。制御手段４はライブ風向・風速データ情報に基づいて演出効果信号をリアルタイムに発生し、調光手段５はこの演出効果信号に応じて前記表示部における多数の照明器具の色調を調光する。【選択図】      図１
2005209555.tif 000002
【特許請求の範囲】
【請求項１】
視認可能な箇所に設置された多数の色調変化自在な照明器具からなる表示部を備え、前記照明器具の色調を、外部環境から与えられるライブ動作情報に応じてリアルタイムに変化させるライトアップシステムであって、
ライブ動作情報を感知するセンシング要素と、該センシング要素から与えられるライブデータ情報に基づいて演出効果信号をリアルタイムに発生する制御手段と、前記演出効果信号に応じて前記表示部における多数の照明器具の色調を調光する調光手段とを備えることを特徴とするライトアップシステム。
【請求項２】
表示部が、高層建造物の外壁面に設置された多数の照明器具からなることを特徴とする請求項１記載のライトアップシステム。
【請求項３】
表示部の形態を擬態した縮小モデルからなり、前記表示部における照明器具の調光と同期して調光される多数の縮小照明器具を備える副表示部を設けたことを特徴とする請求項１又は２記載のライトアップシステム。
【請求項４】
ライブ動作情報が風向・風速であり、センシング要素が風向・風速センサであって、
制御手段は、前記風向・風速センサが検知したライブ風向・風速データ情報に基づいて、該風向・風速を光の動作として表示部において表示させるリアルタイム演出効果信号を発生するものであることを特徴とする請求項１記載のライトアップシステム。
【請求項５】
ライブ動作情報が人手のタッチ動作であり、センシング要素が接触検知センサであって、
制御手段は、接触検知センサが検知したタッチ動作情報に基づいて、該タッチ動作を光の動作として表示部において表示させるリアルタイム演出効果信号を発生するものであることを特徴とする請求項１記載のライトアップシステム。
【請求項６】
表示部の形態を擬態した縮小モデルであって、該擬態表示部に前記接触検知センサが設置されたオブジェを設け、
制御手段は、前記リアルタイム演出効果信号に加え、前記擬態表示部へのタッチ箇所に関連させて生成されたタッチ位置座標信号を発生するものであることを特徴とする請求項５記載のライトアップシステム。
【請求項７】
ライブ動作情報が音声であり、センシング要素が音声検知センサであって、
制御手段は、音声検知センサが検知した音声情報に基づいて、該音声を光の動作として表示部において表示させるリアルタイム演出効果信号を発生するものであることを特徴とする請求項１記載のライトアップシステム。
【請求項８】
表示部に別個の演出効果を表示させるための外部データ入力手段を付加し、
制御手段は、前記ライブデータ情報に基づく演出効果信号と、前記外部データ情報に基づく演出効果信号とを同時発生可能としたことを特徴とする請求項１〜７のいずれかに記載のライトアップシステム。
【発明の詳細な説明】
【技術分野】
【０００１】
本発明は、例えば高層ビルの外壁面等に取り付けられた照明器具の色調（照度や輝度、色合い、並びに点滅等の総称として本明細書では「色調」という。）を、各種センシング要素が感知したライブ動作情報に応じて変動させる等して、リアルタイムに当該ライブ動作を光の動作として表現し得るライトアップシステムに関するものである。
【背景技術】
【０００２】
屋外において発生する風、雨、水流等の自然現象の変動や、人間の四肢の動作や発声などのアクション等、外部環境において時々刻々発生する各種動作情報（本明細書ではこれを「ライブ動作情報」という。）を、照明器具の色調制御に反映させるべく、従来種々の試みが為された事例がある。例えば特許文献１には、屋外における風速の変化に応じて発光手段の輝度を変化させることで装飾上の変化に富んだ照明効果を発揮させる装飾用照明装置が開示されている。この照明装置は、風速段階に応じた点灯電力波形データをマイコンに予め記憶させておき、風速センサが検知した風速データに応じて適宜な風速段階の点灯電力波形データに基づき発光手段を点灯させるものである。
【０００３】
また特許文献２には、風によるローソクの炎のゆらぎを模擬した照明装置を提供すべく、風速センサが検知した情報をゆらぎ（１／ｆ）特性信号に置換し、該信号に基づいて白熱電球をあたかもローソクが風で揺らいでいるように点灯させる照明装置が開示されている。この他、気温や風速等の変化を、照明器具の照度や色の変化度合いに置換し、予め定められたパターンで照明器具を点灯させる照明装置も知られている。また、人間が意図的な操作で照明器具の色調を調光しうる照明装置は、勿論周知である。
【特許文献１】特開平７−３７６９０号公報
【特許文献２】特開平８−１６７４８１号公報
【発明の開示】
【発明が解決しようとする課題】
【０００４】
ところで、各種建造物における照明設備には、単にその室内及び外周囲を照らすという実用的効果だけでなく、当該建造物の外観を印象付ける何らかの機能的・装飾的な照明（いわゆるライトアップ）効果を付随させるのが一般的である。特に都市空間において圧倒的存在感を持つ超高層ビルにあっては、その地域における夜間景観のユニークさを特徴づける要因ともなることから、そのライトアップにはより趣向性・意外性に富んだ光の演出が期待されるところである。
【０００５】
しかしながら、上記特許文献１の照明装置は、風速の強弱段階と記憶させている点灯電力波形データとを予め関連づけておき、風速センサが検知した風速に応じて点灯電力波形データを選択して照明器具を点灯させるに過ぎない。すなわち、外部環境から与えられるライブ動作情報を、リアルタイムでストレートに光の動作として表現するのではなく、パターン化された記憶情報に基づき照明装置を調光制御しているに過ぎない。従って、このような手法で仮に超高層ビル等のライトアップを行ったとしても、演出効果としては意外性に乏しいと言わざるを得ず、いずれ夜景ギャラリーがライトアップに単調感を抱いてしまうであろうことが否めない。
【０００６】
また特許文献２の照明装置も、屋外の風速情報をゆらぎ（１／ｆ）特性信号に置換して照明器具の調光を行うもので、風向きや風速等の、風の「ライブ動作」そのものを光の表現対象としているのではない。また、このような揺らぎ照明は、屋内照明としては一定の趣味性に訴えるものがあると評価できるが、超高層ビル等のライトアップ用途としては、些かアピール力に乏しいと言わざるを得ない。さらに、人間の四肢の動作、例えば触手感等をそのまま光の動作としてライトアップ表現したものは、未だ提案されていない。
【０００７】
従って本発明は、自然現象の変動や人間の動作等のライブ動作情報を、リアルタイムでストレートに光の動作として表現することで、かつてない光の演出効果に富んだライトアップシステムを提供することを目的とする。
【課題を解決するための手段】
【０００８】
本発明の請求項１に係るライトアップシステムは、視認可能な箇所に設置された多数の色調変化自在な照明器具からなる表示部を備え、前記照明器具の色調を、外部環境から与えられるライブ動作情報に応じてリアルタイムに変化させるライトアップシステムであって、ライブ動作情報を感知するセンシング要素と、該センシング要素から与えられるライブデータ情報に基づいて演出効果信号をリアルタイムに発生する制御手段と、前記演出効果信号に応じて前記表示部における多数の照明器具の色調を調光する調光手段とを備えることを特徴とするものである。この構成によれば、センシング要素が感知した何らかのライブ動作情報に基づいて演出効果信号が生成され、該演出効果信号にて照明器具の色調が調光されることになる。従って、自然現象の変動や人間の動作等のライブ動作を、リアルタイムに表示部において光の動作として表現することができるようになる。
【０００９】
請求項２に係るライトアップシステムは、請求項１において、表示部が、高層建造物の外壁面に設置された多数の照明器具からなることを特徴とする。このように表示部を高層建造物の外壁面に設置することで、視認できるエリアが拡張され、より多くの「夜景ギャラリー」に対して光の演出を提供することができるようになる。
【００１０】
請求項３に係るライトアップシステムは、請求項１又は２において、表示部の形態を擬態した縮小モデルからなり、前記表示部における照明器具の調光と同期して調光される多数の縮小照明器具を備える副表示部を設けたことを特徴とする。この構成によれば、表示部で行われる光の演出動作が、その表示部の縮小モデルたる前記副表示部にて同時に表現されることになり、より多面的な表現が行えるようになる。
【００１１】
請求項４に係るライトアップシステムは、請求項１において、ライブ動作情報が風向・風速であり、センシング要素が風向・風速センサであって、制御手段は、前記風向・風速センサが検知したライブ風向・風速データ情報に基づいて、該風向・風速を光の動作として表示部において表示させるリアルタイム演出効果信号を発生するものであることを特徴とする。この構成によれば、風向・風速のライブ動作が、表示部においてリアルタイムに光の動作としてストレートに表現されることになる。
【００１２】
請求項５に係るライトアップシステムは、請求項１において、ライブ動作情報が人手のタッチ動作であり、センシング要素が接触検知センサであって、制御手段は、接触検知センサが検知したタッチ動作情報に基づいて、該タッチ動作を光の動作として表示部において表示させるリアルタイム演出効果信号を発生するものであることを特徴とする。この構成によれば、人手の各種タッチ動作、例えば触手感や撫でる動作、押圧感などを感圧センサ等のセンシング要素で感知させ、そのようなライブ動作を、表示部においてリアルタイムに光の動作としてストレートに表現させることができるようになる。
【００１３】
請求項６に係るライトアップシステムは、請求項５において、表示部の形態を擬態した縮小モデルであって、該擬態表示部に前記接触検知センサが設置されたオブジェを設け、制御手段は、前記リアルタイム演出効果信号に加え、前記擬態表示部へのタッチ箇所に関連させて生成されたタッチ位置座標信号を発生するものであることを特徴とする。この構成によれば、オブジェにタッチした位置及びタッチ感覚が、そのまま実際の建造物等に設けられた表示部にそのまま光の動作としてリアルタイムに表現されることになる。
【００１４】
請求項７に係るライトアップシステムは、請求項１において、ライブ動作情報が音声であり、センシング要素が音声検知センサであって、制御手段は、音声検知センサが検知した音声情報に基づいて、該音声を光の動作として表示部において表示させるリアルタイム演出効果信号を発生するものであることを特徴とする。この構成によれば、人間が発する各種の音声情報をライブ動作として感知し、これを表示部においてリアルタイムに光の動作としてストレートに表現されることになる。この場合、センシング要素は例えばマイクロフォンや携帯電話等であり、光の動作としての表現態様は、例えば感知音声に内在されている周波数成分をベースにして生成した演出効果信号に基づくものとすることができる。
【００１５】
請求項８に係るライトアップシステムは、請求項１〜７のいずれかにおいて、表示部に別個の演出効果を表示させるための外部データ入力手段を付加し、制御手段は、前記ライブデータ情報に基づく演出効果信号と、前記外部データ情報に基づく演出効果信号とを同時発生可能としたことを特徴とする。この構成によれば、ライブ動作情報に基づく演出効果信号に加え、外部データ入力手段から別途各種の演出効果信号を重畳的に付加することができるようになる。
【発明の効果】
【００１６】
請求項１に係るライトアップシステムによれば、センシング要素の感知結果により予め記憶させておいたデータ情報を適宜選択して照明器具を調光するのではなく、センシング要素が感知したライブ動作情報をストレートに光の動作として表現するので、表示部においてライブ動作情報に応じた極めて多様な光の動作表現が行われ、ギャラリーにライトアップの単調感を抱かせてしまうようなことはない。また、センシングの対象として意外性のあるものを選択し、予期しないライブ動作を光の動作としてリアルタイムに表現することで、ギャラリーを驚かせ、感動させ、その感受性に訴える豊かな光の演出を実現することが可能となる。
【００１７】
請求項２に係るライトアップシステムによれば、表示部を視認できるエリアが拡張され、その地域における夜景ギャラリーに広く光の演出を提供することができ、当該表示部が設置された高層建造物の認知度や話題性を高めると共に宣伝効果をもたらし、ひいては当該建造物のオーナーのイメージアップ効果や集客効果を期待することができる。
【００１８】
請求項３に係るライトアップシステムによれば、表示部が設置された建造物等の縮小モデルである副表示部を設けたので、例えば直接表示部を視認できない場合でも表示部における表現を当該副表示部にてモニターできる、或いは現実の建造物等の表示部とその縮小モデルによる副表示部とを見比べつつ鑑賞できる等、より表現を多様化できるという効果を奏する。
【００１９】
請求項４に係るライトアップシステムによれば、自然風という自然現象の挙動、つまり予期できないランダムなライブ動作を行い甚だしきは暴風となって哮る一方で、時として海風と陸風とが穏やかに周期的に交替したり、山から吹き降ろす「おろし」等の地形固有の現象を顕著に示す定型的動作をも行う自然風の様々な挙動を、表示部においてリアルタイムに光の動作としてストレートに表現させることができるようになる。従って、夜景ギャラリーに対して飽きの来ない豊かな光の動作を提供することが可能になると共に、風向・風速情報をその地域に提供する「風見鶏」的な役目を果たさせることも可能となり、表示部の機能性をより高めることができる。
【００２０】
請求項５に係るライトアップシステムによれば、例えば触手感や撫でる動作、押圧感などをセンシング要素で感知させ、そのようなライブ動作を、表示部においてリアルタイムに光の動作としてストレートに表現させることができる。つまり、人手により表示部における光の動作を自身で創作できることとなり、ギャラリー参加型のライトアップを行うことができ趣向性を高めることができる。
【００２１】
請求項６に係るライトアップシステムによれば、オブジェにタッチした位置及びタッチ感覚が、そのまま実際の建造物等に設けられた表示部にそのまま光の動作としてリアルタイムに表現されるので、例えばオブジェの特定箇所を人指で撫でた動作が、当該特定箇所に相当する建造物等の表示部にそのまま光の動きとして表されることになり、その趣向性をより高めることができるようになる。
【００２２】
請求項７に係るライトアップシステムによれば、人それぞれが持っている声色に応じて光の動作を表示部に描画させることが可能となり、かかる構成によっても、ギャラリー参加型のライトアップを行うことができ趣向性を高めることができる。
【００２３】
請求項８に係るライトアップシステムによれば、ライブ動作情報に基づく演出効果信号に加え、外部データ入力手段から別途各種の演出効果信号を重畳させることで、より豊かな光の演出を表示部において行うことが可能となり、夜景ギャラリーにより良い満足感を与えることができるという効果を奏する。
【発明を実施するための最良の形態】
【００２４】
以下図面を参照しつつ、本発明に係るライトアップシステムの実施形態につき詳細に説明する。
【００２５】
（第１実施形態）
図１は本発明に係るライトアップシステムの一実施形態を示す全体図である。このライトアップシステムは、多くの人々が視認可能な箇所、すなわち高層ビル等の建造物１の上層部に設けられ、多数の色調変化自在な照明器具からなる表示部２と、自然風の風向・風速を検知するためのセンシング要素３としての風向・風速センサ３１と、該風向・風速センサ３１から与えられる風向・風速データ（ライブ動作情報）に基づいて、「光の動き」を構築すめための演出効果信号をリアルタイムに発生する制御手段４と、前記演出効果信号に応じて前記表示部２における多数の照明器具の色調を調光する調光手段５とを備えている。
【００２６】
さらにこの実施形態では、表示部２が設置された建造物１を視認できる箇所に位置している他の建造物６０の室内に設置され、前記建造物１及び表示部２の形態を擬態した縮小モデルであって、表示部２における発光動作と同期して同様な発光動作を行う副表示部６１を具備するオブジェ６を付設している。また、制御手段４に対して外部的に様々な調光信号や表示信号を与え、表示部２での風向・風速データによるライブ動作情報基づく表示に、重畳的な表示を与えることができるよう、外部データ入力部７を備えた構成とされている。
【００２７】
図２は、上記した表示部２の具体的態様を示す拡大図であり、図２（ａ）は正面図を、（ｂ）は側面図をそれぞれ示している。この実施形態では、矩形の高層ビル（建造物１）の最上層部分に円筒状の表示面が設けられ、該円筒状表示面の全周表面に多数の照明器具２１を配列した例を示している。従って、この高層ビルをどの方角から見ても、表示部２が視認可能となっている。なお、表示部２の設置箇所は、一般人が視認可能な箇所であれば特に制限はない。本実施形態のように高層ビル等の上層部の他、スタジアムや博物館等の壁面、或いは電飾可能な自然木や人工ツリー等の各種天然又は人工の造形物の外表面であっても良い。
【００２８】
前記照明器具２１は、縦長とされた矩形の発光面を備え、その内部に蛍光灯、白熱電球、高圧放電灯、或いは半導体発光素子（ＬＥＤ）等の光源を備えてなり、一つの照明器具２１が表示部２全体における単位画素となるよう、縦横方向に規則的に、前記円筒状表示面に対して多数配置されている。この照明器具２１としては、その発光色調を自在に変化できるものが用いられる。すなわち、点滅動作だけでなく、その照度や輝度を自在に調整できるもの、好ましくはその色合いをも自在に制御できるものが用いられる。例えば、光源として蛍光灯を用いる場合、ＯＮ−ＯＦＦ制御だけでなく、調光インバータ等によりその明るさの制御が自在に行える機構を備えた蛍光灯装置が用いることができる。また色合いを制御する場合は、例えばＲ（赤）、Ｇ（緑）、Ｂ（青）の原色カラーフィルターをそれぞれ被着した３本の蛍光灯を一つの照明器具２１に内蔵させておき、各蛍光灯の明度を調整することで様々な発光色を表現可能とした照明器具２１を用いることができる。なお、光源としてＬＥＤを用いる場合は、赤色、緑色、青色発光ＬＥＤを一つの照明器具２１に内蔵し、それぞれのＬＥＤへの駆動電流を制御する等すれば、様々な発光色が表現可能となる。なお、前記副表示部６１にも、この照明器具２１と同期して調光される多数の縮小照明器具が、同様な配列で配置される。
【００２９】
センシング要素３としての風向・風速センサ３１は、自然風の風向き及び風速を検知し、これをアナログ又はデジタルの電気信号に変換して発信し得るものであれば良く、例えばＦＴテクノロジー社商品名「FT702  Ultrasonic  Anemometer」を用いることができる。該風向・風速センサ３１の設置箇所は、表示部２において表現すべき受風ポイントを適宜選定すれば良く、例えば表示部２が設けられた建造物１の屋上に設置することができる。このように屋上に設置すれば、当該建造物１が受けている自然風の状況そのものを、光の動作として視認できるようになり、趣向性を高めることができると共に、室内の人に対して風情報を提供する報知装置としての機能を果たすことができるようになる。
【００３０】
制御手段４は、風向・風速センサ３１が取得した自然風のライブ動作情報を、表示部２においてリアルタイムに光の動作として表現させるためのソフトウェアが組み込まれたパーソナルコンピュータ（ＰＣ）等からなる。また、調光手段５は、前記制御手段４から送信された制御信号に基づいて、各照明器具２１を実際に調光するための信号（電力波形）を発生するものである。
【００３１】
図３は上記制御手段４及び調光手段５の具体的構成を主に示すブロック図である。先ず制御手段４は、データ取入部４１、信号変換部４２、演出効果信号発生部４３、演出パターン記憶部４４、外部データ処理部４５、表示選択部４６、及び信号送信部４８を備えている。
【００３２】
前記データ取入部４１は、風向・風速センサ３１が自然風の風向き及び風速を検知して生成した電気信号（ライブ風向・風速データ情報）を、制御手段４としてのＰＣに取り込む作用を為すものである。具体的には、ＲＳ−４２２やＲＳ２３２Ｃ等のシリアルインターフェイス用のシリアルポートであり、風向・風速センサ３１から延出された通信ケーブルが接続され、該通信ケーブルを介して転送されて来るデータを受信する。すなわち、風向・風速センサ３１が自然風を感知してアナログ電気信号を生成し、これを風向・風速センサ３１に備えられているＡ／Ｄ変換部３５にてデジタル信号化し、該デジタル信号が前記通信ケーブルを介してシリアルポートであるデータ取入部４１に送信されることで、ライブ風向・風速データ情報が制御手段４たるＰＣに取り込まれるものである。
【００３３】
ここで、前記Ａ／Ｄ変換部３５によるアナログ電気信号のデジタル信号化に際しては、風向・風速をより正確に表現できるよう、サンプリングレートをなるべく高くすることが好ましく、例えば０．５sec／回程度以下、特に０．３sec／回程度以下にサンプリングレートを設定することが望ましい。
【００３４】
信号変換部４２は、データ取入部４１に送信されて来たデジタル信号を、表示部２における各照明器具２１の色調を変化させるための制御信号に、リアルタイムで変換処理する。具体的な一例を挙げると、信号変換部４２は照明器具２１の配列状態（例えばｍ×ｎ個配列されているとする）に応じたｍ×ｎ個のアドレス情報を備えており、例えば真北方向の風向きを風向・風速センサ３１が検知し、これに相当するデジタル信号がＡ／Ｄ変換部３５から送信されてきた場合に、真北の風向きのときは具体的に前記ｍ×ｎ個のうちのどの照明器具２１の色調を変化させるか、或いは、例えば８ｍ／secの風速を風向・風速センサ３１が検知し、これに相当するデジタル信号がＡ／Ｄ変換部３５から送信されてきた場合に、８ｍ／secの風速のときは具体的にｍ×ｎ個の照明器具２１をどのような流れで連続的に色調変化させるかという制御信号を、前記アドレス情報に関連させて生成する。すなわち、センシング要素３から送られて来る生のデジタル情報（ライブ風向・風速データ情報）を、表示部２における照明器具２１の配置構成に応じた制御信号のベースとなる信号に変換するものである。
【００３５】
演出効果信号発生部４３は、前記信号変換部４２で得られた制御信号に応じ、ｍ×ｎ個の各照明器具２１の色調をそれぞれ変更させるための信号を生成する。かかる信号は、前述のライブ風向・風速データ情報をどのような演出効果を伴って表示部２で表現するかにより異なるものとなる。例えば、単純に光源のＯＮ−ＯＦＦのみで表現する場合は、信号変換部４２にて生成されたアドレス情報に関連させた制御信号に合わせて、対応するアドレスの照明器具２１を点灯・消滅させる信号を発生する。一方、照度や輝度を変化させる場合や、或いは色を変化させる場合は、信号変換部４２にて生成されたアドレス情報に関連させた制御信号をベースとして、各照明器具２１に求められる輝度・照度の連続的変化や、色の連続的変化を達成するために必要な動作制御信号（演出効果信号）を発生する。具体的な演出効果例については、後記で詳述する。
【００３６】
演出パターン記憶部４４は各種の演出信号発生パターンを記憶させたＲＯＭ等からなり、前記演出効果信号発生部４３で演出効果信号を生成するに当り、ライブ風向・風速データ情報を光の動作として表現するに際し、輝度や照度の連続的変化というパターンや、独立した光列の周回動作というパターン等、表現すべき各種の光の動作パターンをプログラムとして記憶しているものである。前記演出効果信号発生部４３では、この演出パターン記憶部４４に記憶されているパターンをユーザの指示に応じて適宜読み出し、前記信号変換部４２にて生成されたライブ風向・風速データ情報に基づく制御信号と組み合わせることでライブ演出効果信号が生成される。
【００３７】
外部データ処理部４５は、外部のＰＣや携帯電話からなる外部データ入力部７から専用回線やインターネット等を経由して入力されて来る外部データ情報を受け入れ、これを表示部２において表示可能とするための信号処理を行う。ここでの外部データ情報としては、時刻情報、ニュース等の報知情報、或いは公告情報等の当該表示部２において表現可能な文字・記号情報、各種のイベント（クリスマスやオリンピックなど）に関連する図柄情報、若しくは予め記憶させておいた所定の演出効果情報等である。外部データ処理部４５は、前記文字・記号情報等が与えられた場合は、ｍ×ｎ個の各照明器具２１に当該情報を割り当て表示するための制御信号を生成し、前記図柄情報や予め作成されている演出効果情報等が与えられた場合は、その再生表示のための処理を行う。
【００３８】
表示選択部４６は、センシング要素３が感知したライブ風向・風速データ情報に基づく表示を表示部２で行うか、外部データ入力部７から与えられた各種情報に基づく表示を表示部２で行うか、或いはこれらを重畳的に表示させるかの選択指示信号を発生する。該選択指示信号は、ユーザによる操作、定時刻毎の自動切換えプログラム等により与えられる。
【００３９】
信号送信部４８は、前記演出効果信号発生部４３で生成された演出効果信号や、外部データ処理部４５で生成された処理信号（以下、「調光信号」と呼ぶ場合がある）を、調光手段５に対してデータ情報として送信する機能を果たす。例えば、後述の調光手段５においてインバータ回路を用いた調光を行う場合、調光度合いをパルスのオンの時間とオフの時間の比（デューティー比）として送られてくるパルス幅変調（ＰＷＭ）された信号として送信する。
【００４０】
調光手段５は、信号変換部５１、信号分配器５２、信号混合器５３、及び調光盤５４を備えている。信号変換部５１は、前記信号送信部４８から送信されて来るｍ×ｎ個分の照明器具２１用の調光信号を受信すると共に、この調光信号を各々の照明器具２１用の個別調光信号に配分する。
【００４１】
信号分配器５２は、表示部が複数ある場合に、前記調光信号を各表示部へ分配するものである。本実施形態のライトアップシステムでは、建造物１に設けた表示部２と、オブジェ６に設けた副表示部６１とを具備しているので、該信号分配器５２にて調光信号を表示部２用と副表示部６１用とに分配する。また、信号混合器５３は、前記前記演出効果信号発生部４３で生成された演出効果信号と、外部データ処理部４５で生成された処理信号とを混合し、これにより生成された混合信号を後述の調光盤５４に送信する。
【００４２】
調光盤５４は、例えば表示部２の照明器具２１が蛍光灯である場合、電子安定器にＰＷＭ（パルス幅変調）の弱電信号を与え、このＰＷＭ信号のデューティー比に応じてランプ電流を変化させて蛍光灯を調光するインバータ方式の調光制御を行う。また照明器具２１が白熱灯である場合は、例えば半導体（サイリスタやトライアック）を用いた位相制御によりランプ電力を直接制御して白熱灯を調光する位相制御方式の調光制御を行うものである。
【００４３】
表示部２（及びオブジェ６の副表示部６１）では、前記調光盤５４により与えられる電力信号により駆動され、所定の点灯表示が行われる。この場合、前述の通り高いＡ／Ｄ変換部３５にてサンプリングレートでデジタル信号化し、これを信号変換部４２で直ちに制御信号に変換し、これに基づいて演出効果信号を生成しているので、風向・風速センサ３１が設置されている箇所における風向・風速が、リアルタイムで、何らかの光の動きとして、当該表示部２（及び副表示部６１）にて表示されることとなる。
【００４４】
以上の通り構成されたライトアップシステムの動作について、図４に示したフローチャートに従って説明する。本ライトアップシステムにおいては、外部環境から与えられるライブ動作情報をセンシング要素３にて取得することから処理が始まる。本実施形態では、前記ライブ動作情報を風向・風速情報としていることから、風向・風速センサ３１により、風向・風速情報が電気信号に置換した形でライブ風向・風速情報として取得される（ステップＳ１１）。そして前述の通り、所定のサンプリングレートでＡ／Ｄ変換部３５にてデジタル信号化された上で、制御手段４のデータ取入部４１へ取り込まれる（ステップＳ１２）。
【００４５】
このようにして取り込まれたライブ風向・風速情報としてデジタル信号は、信号変換部４２でｍ×ｎ個の照明器具２１のアドレス情報に関連付けた制御信号に変換され、該制御信号は演出効果信号発生部４３に入力される。演出効果信号発生部４３では、演出パターン記憶部４４において記憶させている演出パターンと、入力されてきた前記制御信号とを組み合わせることで、演出効果信号が生成される（ステップＳ１３）。
【００４６】
ここで、演出効果信号の生成例につき説明する。図５は、前記演出効果信号発生部４３において生成される演出効果信号の一例を、表示部２における表示態様（光の動き）として示した模式図である。なお、本実施形態では表示部２を建造物１の上層部分に設ける円筒状の表示面としていることから、当該円筒状表示面のみを取り出した模擬表示面２０を用いて説明する。この模擬表示面２０には、独立して色調変化自在な多数の照明器具２１が、その高さ方向及び周回方向に規則的に配列されているものとする。
【００４７】
図５に示した演出例は、風が吹き当っている部分（風上正面）を起点として一定時間毎に光列を順次発生させ、この光列を左右２つに分けて、それぞれ表示面２０の左側、右側の周面に沿って同期移動させ、左右の光列が１８０°周回した箇所で合流・消滅させる「風玉モデル」である。詳述すると、先ず図５（ａ）に示すように、建造物１に向けて図中矢印の方向の自然風が吹きつけている場合（前提として風向・風速センサ３１が当該建造物１の屋上等に取り付けられているものとする）、風向・風速センサ３１が検知した「風向き」に相当する表示面２０上の方位を、風上正面Ｗｓとして定める。
【００４８】
そして、前記風上正面Ｗｓを起点として所定幅の光列（つまり高さ方向の照明器具２１の１列乃至は複数列を点灯したり、或いは他の部分に対して色調を変化させる調光を行ったりする）を発生させ、さらに該光列を左右２つの光列Ｗ１１、Ｗ２１に分離し、これら光列Ｗ１１、Ｗ２１を速度ｖ１でそれぞれの周回方向に移動させる（つまり速度ｖ１で隣接する照明器具２１の点灯乃至は調光動作を順次行ってゆく）。ここで、速度ｖ１は風向・風速センサ３１が検知した「風速」に応じたものとし、検知した風速が強い程、その速度が早くなるものとする。また、光列Ｗ１１、Ｗ２１の色調も、検知した風速に応じてその変化（輝度や色等を変更）させるものとする。
【００４９】
一定時間経過後、例えばサンプリングレートを０．２sec／回に設定している場合は０．２秒後、同様にして風上正面Ｗｓを起点として新たな光列を発生させ、該光列を左右２つの光列Ｗ１２、Ｗ２２に分離し、このときの風速に応じた速度ｖ２でそれぞれの周回方向に移動させる（図５（ｂ）参照）。また光列Ｗ１２、Ｗ２２の色調も、検知した風速に応じた色調とする。なお、風向が１秒以下の単位で変わることはまず無いが、もし風向が変わったならば、新たな風向に相当する表示面２０の部位から光列が発生されることになる（ここでは風向は一定として扱う）。
【００５０】
図５（ｃ）に示すように、このような動作が順次繰り返され、左方向に光列Ｗ１１、Ｗ１２、Ｗ１３、Ｗ１４が、右方向に光列Ｗ２１、Ｗ２２、Ｗ２３、Ｗ２４が、それぞれの光列発生時点の風速に応じた速度及び色調で、表示面２０の周面を移動してゆく。いま、第２番目に発生した光列Ｗ１２、Ｗ２２の発生時点における風速が、第１番目光列Ｗ１１、Ｗ２１の発生時点における風速より強かった場合、その移動速度はｖ２＞ｖ１となることから、光列Ｗ１２、Ｗ２２は移動に従って光列Ｗ１１、Ｗ２１に接近してゆくことになる。
【００５１】
さらに時間が経過すると、図５（ｄ）に示すように、新たな光列Ｗ１５、Ｗ２５及び光列Ｗ１６、Ｗ２６が発生する。一方、風上正面Ｗｓと１８０°対極にある風下正面Ｗｅへ、左記に発生した光列が到達したら、その光列は消滅する。図５（ｄ）では、第２番目に発生した光列Ｗ１２、Ｗ２２が第１番目の光列Ｗ１１、Ｗ２１を追い越し、風下正面Ｗｅへ到達する直前の状態を示している。
【００５２】
このような「風玉モデル」によれば、建造物１が晒されている現状の風速状況に応じて、光列が群をなして表示部２の周面を移動する表示態様となり、風が吹いている状況を忠実に光の動きとして表現できるようになる。なお、視覚効果を上げるため、光列が風上正面Ｗｓから風下正面Ｗｅへの移動につれて、光量を減衰させる等してフェイドアウト感を演出するようにしても良い。
【００５３】
図６は他の演出例を示す模式図である。この演出例は、風上に対向する面の発光色調を他の部位に対して変化させて発光面を形成し、この発光面を風向きの合わせて追従させる（つまり風上を示して常に回転する）、所謂「風見鶏モデル」である。詳述すると、図６（ａ）に示すように、建造物１に向けて図中矢印の方向から強風が吹きつけている場合、風向・風速センサ３１が検知した「風向き」に相当する表示面２１上の方位を、風上正面Ｗｓとして定める。
【００５４】
そして、この風上正面Ｗｓを中心として左右に広がる所定幅を前記発光面とし、該発光面の色調を変化させる。ここで発光面の幅Ｌ１は、風向・風速センサ３１が検知した「風速」に応じたものとし、検知した風速が強い程、その発光面の幅が広くなるものとする。また当該発光面の色調は均一なものとしても良いが、視覚効果を上げるため、風上正面Ｗｓに近い部分から順に４段階の発光面Ｗ３１、Ｗ３２、Ｗ３３、Ｗ３４に区画し、中心発光面Ｗ３１の色調を強くし（例えば輝度を上げたり、濃い色の光で発光させたりする）、その外側の発光面Ｗ３２、Ｗ３３、Ｗ３４に至る程色調を弱くするようにしている。
【００５５】
次に図６（ｂ）は、時間が経過して風向が変わり、風速が中風である場合を示している。この場合、図中矢印の方向に風向が変わったのに伴い、表示面２１上の風上正面Ｗｓも移動することになる。従って、この新たな風上正面Ｗｓを中心とし、風向・風速センサ３１が検知した「中風」のレベルに応じた幅Ｌ２の発光面が形成される。この発光面の幅Ｌ２は、風速が弱まった分、先の強風の場合における発光面の幅Ｌ１に比べて狭いものとなる。そして、この場合も風上正面Ｗｓに近い部分から順に３段階の発光面Ｗ３５、Ｗ３６、Ｗ３７に区画し、中心発光面Ｗ３５の色調を強くし、その外側の発光面Ｗ３６、Ｗ３７に至る程色調を弱くするようにされている。
【００５６】
さらに図６（ｃ）は、弱風が図中矢印の２方向から吹きつけている場合を示している。この場合、弱風１に対する風上正面Ｗｓ１、及び弱風２に対する風上正面Ｗｓ２をそれぞれ表示面２１上に定め、該風上正面Ｗｓ１、Ｗｓ２を中心として、「弱風」のレベルに応じた幅Ｌ３の発光面が形成される。この発光面の幅Ｌ２は、風速がさらに弱まった分だけより狭いものとなり、発光面の幅方向の色調変化も与えられない。なお、図６（ａ）〜（ｃ）では風向が変わった場合を想定して説明したが、風向が一定で風速が変化するような場合は、その風速に応じて発光面の幅が伸縮する動作、つまり風上正面Ｗｓを中心として発光面の幅がレベルメーターの如く変動する光の動作を行うことになる。
【００５７】
このような「風見鶏モデル」によれば、風向、並びに風速が一目瞭然となり、風向・風速の現況をギャラリーや地域住民に明確に提供できる等のメリットがある。
【００５８】
図４のフローチャートに戻って、上記のようにして生成される演出効果信号に加え、何等かの付加情報（前述の文字・記号情報、図柄情報、予め作成されている演出効果情報など）をも表示部２で表示させようとする場合は、外部データ入力部７から外部データが適宜入力される（ステップＳ１４）。そして、現状においてこのような外部データ入力が有るか否かが確認され（ステップＳ１５）、外部データ入力が無い場合（ステップＳ１５でＮｏ）、調光手段５の調光盤５４において照明器具２１の調光のために実際の調光信号が生成される（ステップＳ１６）。一方、外部データ入力がある場合（ステップＳ１５でＹｅｓ）は、外部データ処理部４５で所定の処理が行なわれた後、調光手段４の信号混合器５３で前記演出効果信号と混合する等して、複合表示信号が生成される（ステップＳ１５１）。その後、この複合表示信号に基づいて調光盤５４で実際の調光信号が生成されるものである（ステップＳ１６）。
【００５９】
続いて、表示部（本実施形態では表示部２と副表示部６１）における表示態様の指示があるか否かが確認される（ステップＳ１７）。表示選択部４６に対して何らかの選択指示がある場合（ステップＳ１７でＹｅｓ）、すなわちライブ風向・風速データ情報による演出効果信号に基づく表示と、前記外部データとして入力された情報に基づく表示を重畳表示させるか、或いはいずれかに切り換えて表示するかについて、ユーザから指示入力がある場合、表示選択部４６はその指示入力に応じた選択表示指示信号を調光手段４に対して送信する（ステップＳ１７１）。一方、表示選択部４６に対して選択指示が無い場合（ステップＳ１７でＮｏ）は、ライブ風向・風速データ情報による演出効果信号に基づく表示のみがそのまま継続されることになる。
【００６０】
かかる表示にあたり、複数の表示部（副表示部）が存在するかが確認され（ステップＳ１８）、副表示部が存在しない場合（副表示部の電源が切断されている場合も含む）は（ステップＳ１８でＮｏ）建造物１の表示部２のみで表示が行われる（ステップＳ１９１）。一方、本実施形態のように副表示部６１が存在する場合（ステップＳ１８でＹｅｓ）、表示部２と副表示部６１とでの表示が行われる（ステップＳ１９２）。
【００６１】
（第２実施形態）
図７は、本発明の他の実施形態にかかるライトアップシステムを示す全体図である。図１に示したライトアップシステムと相違する点は、ライブ動作情報を取得する種類を拡張し、風向・風速だけでなく、人手のタッチ動作や音声をも取り入れるようにし、ギャラリー等のタッチ動作や発生などの作為に起因する光の動作をも表示部２で表示可能にした点にあり、ギャラリーが表示部２における光の動作表現に参加しうるギャラリー参加型のライトアップシステムである。而してこのライトアップシステムは、図１に示した構成に加えて、人手のタッチ動作を検知するための副表示部６１を兼ねた接触検知センサ６２と、音声検知センサ３２としての携帯電話とを備えている。
【００６２】
前記副表示部６１を兼ねた接触検知センサ６２としては、例えばＬＣＤ（liquid crystal display）等からなる副表示部６１としての液晶表示装置の上面に、接触検知センサ６２としての透明なタッチパネルを配置してなる所謂タッチパネル付き表示装置が好適に用いられる。具体的には、建造物１の表示部２を擬態した縮小モデルとしての形成されたオブジェ６の副表示部６１、すなわち表示部２におけるｍ×ｎ個の照明器具２１の配列を模して前記液晶表示装置をオブジェ６の所定箇所に取り付けて副表示部６１とする。また、照明器具２１のｍ×ｎ配列に対応して模擬的に割り当てられた操作枠を具備する透明タッチパネル（接触検知センサ６２）を前記副表示部６１としての液晶表示装置の上面に配置する。そして、前記タッチパネルの所定箇所に指で触れると、その操作枠に対応する位置の照明器具２１に対して操作指示情報が与えられたものとして制御手段４に操作信号（タッチ位置座標信号）を送信すべく構成されている。これにより、「人手のタッチ動作」というライブ動作情報が、表示部２における光の動作に反映可能とされている。
【００６３】
このように副表示部６１と接触検知センサ６２とを一体的に設けることが好ましいが、副表示部６１を省略しオブジェ６に接触検知センサ６２のみを設ける構成としても勿論良い。また、接触検知センサ６２としてタッチパネル型の圧力センサの他に、位置座標を特定可能としたストレインゲージを用いた圧力センサやダイヤフラム型圧力センサ等、各種のタッチセンサーを用いることができる。
【００６４】
音声検知センサ３２は、「音声」というライブ動作情報を、表示部２における光の動作に反映可能とするためのものである。従って、音声振動をアナログ電気信号に変換し、これをデジタル信号化して制御手段４に送信しうるものであれば良く、携帯電話の他、有線電話やマイクロフォン装置であっても良い。
【００６５】
図８は、本実施形態に係るライトアップシステムの具体的構成を示すブロック図である。図３と同一符号を付している部分は同一構成であり、同一の動作をする部分については説明を省略する。本実施形態では、センシング要素３として、風向・風速センサ３１だけでなく、前述の通り音声検知センサ３２と、オブジェ部６に配置された接触検知センサ６２とを含んでいる。また制御手段４には、センサ情報選択部４７が付加されている。そして接触検知センサ６２が配置されると共に副表示部６１を備えるオブジェ部６に、別途副表示部６１を調光するための調光部６３が設けられ、さらに音声発生部６４が設けられている。
【００６６】
制御手段４のデータ取入部４１は、この場合、風向・風速センサ３１が自然風の風向き及び風速を検知して生成した電気信号（ライブ風向・風速データ情報）と、音声検知センサ３２が音声を検知して生成した電気信号（ライブ音声データ情報）と、接触検知センサ６２が人手によるタッチ動作を検知して生成した電気信号（ライブタッチ動作データ情報）を制御手段４としてのＰＣに取り込む作用を為すものである。これらデータ情報は、Ａ／Ｄ変換部３５或いはその他のデジタル変換部にて、０．５sec／回程度以下、特に好ましくは０．３sec／回程度以下のサンプリングレートでデジタル信号化された上で、データ取入部４１へ送信される。これらのデジタル信号を取得した後に、リアルタイムに演出効果信号を生成するプロセスは、前述した第１実施形態と同様である。
【００６７】
本実施形態で制御手段４に付加されているセンサ情報選択部４７は、上記３つのセンサから与えられるデータ情報のうちどのデータ情報に基づく表示を表示部２で行わせるかの選択指示を行う。つまり風向・風速センサ３１、音声検知センサ３２、及び接触検知センサ６２が検知したデータ情報のうちいずれかを選択的に採用し、当該選択されたデータ情報により生成された演出効果信号に基づく表示を行わせるか、或いは重畳的に表示させるか（例えば、ライブ風向・風速データ情報による表示をベースとして表示しつつ、ライブタッチ動作データ情報による表示を上乗せ表示する等）の選択指示を行うものである。
【００６８】
オブジェ部６の調光部６３は、副表示部６１としての液晶表示装置の発光度合いを調光するためのものである。基本的に調光手段５による表示部２の調光と同期した調光を行うことになるが、独自の副表示部６１の調光を行えるようにすることが望ましい。また音声発生部６４は、各種の効果音を発生可能とするもので、例えば接触検知センサ６２にタッチした場合に一定の効果音（風きり音など）を必要に応じて発生する。
【００６９】
以上の通り構成されたライトアップシステムの動作について、図９に示したフローチャートに従って説明する。本実施形態では、前記ライブ動作情報を風向・風速情報、音声情報、及びタッチ情報としていることから、風向・風速センサ３１により、風向・風速情報が電気信号に置換した形でライブ風向・風速情報として取得され（ステップＳ２１１）、音声検知センサ３２により音声情報が電気信号に置換されてライブ音声データ情報として取得され（ステップＳ２１２）、さらに接触検知センサ６２によりタッチ情報が電気信号に置換されてライブタッチ動作データ情報として取得される（ステップＳ２１３）。そして前述の通り、所定のサンプリングレートでＡ／Ｄ変換部３５等にてデジタル信号化された上で、制御手段４のデータ取入部４１へ取り込まれる（ステップＳ２２）。
【００７０】
このようにして取り込まれたデータ情報としてデジタル信号は、信号変換部４２でｍ×ｎ個の照明器具２１のアドレス情報に関連付けた制御信号に変換され、該制御信号は演出効果信号発生部４３に入力される。演出効果信号発生部４３では、演出パターン記憶部４４において記憶させている演出パターンと、入力されてきた前記制御信号とを組み合わせることで、演出効果信号が生成される（ステップＳ２３）。
【００７１】
ここで、演出効果信号の生成例につき説明する。図１０及び図１１は、オブジェ部６の接触検知センサ３２へのタッチ動作を、建造物１の表示部２において「光の動き」として表示させる例を示した模式図である。図１０及び図１１において、これらの図（ａ）は副表示部６１（接触検知センサ３２）の形態を模擬的に示し、また図（ｂ）は表示部２の形態を模擬的に示している。先ず図１０において、同図（ａ）に示すように副表示部６１の一部に指で触れた場合に、その接触点Ｔｐ１に対応するタッチパネルの操作枠が感応し、タッチ位置座標信号を発生させるようにする。そして該タッチ位置座標信号に基づいて、例えば接触点Ｔｐ１直下の発光枠及びその近傍の発光枠を発光面Ｔ１１とし、当該発光面Ｔ１１につき他の部分に対して色調を変化させるようにする。また同図（ｂ）に示すように、前記発光面Ｔ１１に相当する位置に存在する表示部２の照明器具２１を発光面Ｔ２１とし、当該発光面Ｔ２１につき他の部分に対して色調を変化させるようにする。さらに指を離すと、発光面Ｔ１１及び発光面Ｔ２１における色調変化は解除されるようにする。
【００７２】
すなわち、副表示部６１（接触検知センサ３２）のいずれかの箇所に指でタッチすると、その触手位置に対応する表示部２の部位（発光面Ｔ２１）並びに副表示部６１の部位（発光面Ｔ１１）が例えば特定の色に発光し、指を離すとその発光が停止されるという演出例である。この場合、前記特定の色の発光が停止されるときに、数秒程度かけて徐々に減衰しながら消光するようにし、演出効果を高めるようにすることが望ましい。また、タッチ動作を継続している間、あたかも風が遮られているが如き効果音を、前記音声発生部６４から出力させるようにしても良い。
【００７３】
図１１に示した演出例は、基本的に図１０に示した例と同様なのであるが、同図（ａ）に示すように、副表示部６１への接触点Ｔｐ２から近い順に発光する部位をそれぞれ発光面Ｔ１２、Ｔ１３、Ｔ１４と区画し、これら発光面Ｔ１２、Ｔ１３、Ｔ１４が異なる色調（例えば接触点Ｔｐ２に近い発光面Ｔ１２を強く発光させ、その外側を段々弱く発光させる等）で発光させるものである。そして同図（ｂ）に示すように、前記発光面Ｔ１２、Ｔ１３、Ｔ１４にそれぞれ相当する位置に存在する表示部２の照明器具２１を発光面Ｔ２２、Ｔ２３、Ｔ２４とし、これら発光面Ｔ２２、Ｔ２３、Ｔ２４につき他の部分に対して色調をそれぞれ異なる色調で変化させるようにする。さらに指を離すと、発光面１２、Ｔ１３、Ｔ１４及び発光面Ｔ２２、Ｔ２３、Ｔ２４における色調変化は解除されるようにする。この場合、上記と同様に徐々に減衰しながら消光する、或いは効果音を発生させるようにすることが望ましい。
【００７４】
このような演出例によれば、触手感、或いは撫でる動作や押圧感などのタッチ動作を、表示部においてリアルタイムに光の動作としてストレートに表現させることができる。つまり、人手により表示部における光の動作を自身で創作する属人的な表現が可能となり、ギャラリー参加型のライトアップを行うことができ趣向性を高めることができる。
【００７５】
図１２は複数のセンシング要素からの情報に基づいた演出例を示す模式図であり、同図（ａ）、（ｃ）、（ｄ）は表示部２を模擬した模擬表示面を、同図（ｂ）は副表示部６１（接触検知センサ６２）の模擬表示面をそれぞれ示している。この例は、風向・風速センサ３１から取得されるライブ風向・風速データ情報と、接触検知センサ６２から取得されるライブタッチ動作データ情報とを複合させるものである。先ず同図（ａ）に示すように、先に図５において説明したライブ風向・風速データ情報に基づく「風玉モデル」による演出が定常的に行われるものとする。すなわち、風向・風速センサ３１が検出している風向・風速に応じて、その風上正面Ｗｓを起点として、所定幅の光列Ｗ４１、Ｗ４２、Ｗ４３・・・を所定速度で移動させておく。
【００７６】
ここで同図（ｂ）に示すように、副表示部６１に対してタッチ動作がなされた場合、その接触点をＴｐ３とすると、同図（ｃ）に示すように、前記接触点Ｔｐ３に対応する表示部２の照明器具の色調を変化させて発光面Ｔ３を形成する。そして、前記光列Ｗ４１、Ｗ４２、Ｗ４３・・・の進行が、この発光面Ｔ３の存在箇所において堰き止められ、光列Ｗ４１を先頭として発光面Ｔ３に光列群が突き当たるイメージで、順次光列が滞留してゆくようにする。
【００７７】
その後、タッチ動作が解除されたならば、同図（ｄ）に示すように、光列の滞留状態は解除され、あたかも堰を切ったイメージで光列Ｗ４１、Ｗ４２、Ｗ４３・・・の進行が再開されるものである。この演出例においても、適宜な効果音（遮っていた風が一気に噴出す時の効果音など）を重畳するようにしても良い。
【００７８】
かかる演出例によれば、自らのタッチ動作で風を遮っているイメージを光の動作として表現されることとなり、ギャラリーの介入度合いが大きい趣向性に富んだ表現を行うことができる。
【００７９】
図１３に示した演出例は、図５に示した「風玉モデル」と、図１０乃至図１１に示したタッチ動作モデルとを複合させたモデルを示すものである。なお、図１３（ａ）、（ｃ）は表示部２を模擬した模擬表示面を、同図（ｂ）は副表示部６１（接触検知センサ６２）の模擬表示面をそれぞれ示している。この演出例でも、同図（ａ）に示すように、前記「風玉モデル」による演出が定常的に行われるものとする。すなわち、風向・風速センサ３１が検出している風向・風速に応じて、その風上正面Ｗｓを起点として、所定幅の光列Ｗ５１、Ｗ５２、Ｗ５３・・・を所定速度で移動させておく。
【００８０】
ここで同図（ｂ）に示すように、副表示部６１に対してタッチ動作がなされた場合、その接触点をＴｐ４とすると、同図（ｃ）に示すように、前記接触点Ｔｐ４に対応する表示部２の照明器具の色調を変化させて発光面Ｔ４を形成する。そして、前記光列Ｗ５１、Ｗ５２、Ｗ５３・・・が前記発光面Ｔ４を通過する際に、その前記光列Ｗ５１、Ｗ５２、Ｗ５３・・・の色調が一時的に変化する（一時的に色が変わる等）ようにしておく。その後、タッチ動作が解除されたならば、前記発光面Ｔ４が消滅し、通常の光列の移動が継続されるものである。
【００８１】
以上の演出例の他、音声検知センサ３２から取得したライブ音声データ情報を活用した演出を独立的に、或いは他のセンシング要素からのデータ情報と複合させて行うこともできる。例えば、音声検知センサ３２が検出した音声の音量に応じて、或いは音声の周波数スペクトルに応じて、表示部２の照明器具２１をレベルメーター的に色調変化させる演出などを例示することができる。あるいは音声認識システムと連動させ、ギャラリーが発した音声を、文字・記号化して、表示部２で表示させるようにしても良い。
【００８２】
図９のフローチャートに戻って、上記のようにして生成される演出効果信号に加え、何等かの付加情報（前述の文字・記号情報、図柄情報、予め作成されている演出効果情報など）をも表示部２で表示させようとする場合は、外部データ入力部７から外部データが適宜入力される（ステップＳ２４）。そして、現状においてこのような外部データ入力が有るか否かが確認され（ステップＳ２５）、外部データ入力が無い場合（ステップＳ２５でＮｏ）、調光手段５の調光盤５４において照明器具２１の調光のために実際の調光信号が生成される（ステップＳ２６）。一方、外部データ入力がある場合（ステップＳ２５でＹｅｓ）は、外部データ処理部４５で所定の処理が行なわれた後、調光手段４の信号混合器５３で前記演出効果信号と混合する等して、複合表示信号が生成される（ステップＳ２５１）。その後、この複合表示信号に基づいて調光盤５４で実際の調光信号が生成されるものである（ステップＳ２６）。
【００８３】
続いて、表示部（本実施形態では表示部２と副表示部６１）における表示態様の指示があるか否かが確認される（ステップＳ２７）。表示選択部４６に対して何らかの選択指示がある場合（ステップＳ２７でＹｅｓ）、すなわちライブ風向・風速データ情報、ライブ音声データ情報、及びライブタッチ動作データ情報のいずれか若しくはこれらの複合による演出効果信号に基づく表示と、前記外部データとして入力された情報に基づく表示を重畳表示させるか、或いはいずれかに切り換えて表示するかについて、ユーザから指示入力がある場合、表示選択部４６はその指示入力に応じた選択表示指示信号を調光手段４に対して送信する（ステップＳ２７１）。一方、表示選択部４６に対して選択指示が無い場合（ステップＳ２７でＮｏ）は、定常的な表示として採用している演出、例えばライブ風向・風速データ情報による演出効果信号に基づく表示のみがそのまま継続されることになる。
【００８４】
さらに、センサ情報選択部４７に対して、ライブ風向・風速データ情報、ライブ音声データ情報、及びライブタッチ動作データ情報のいずれか一つを選択して表示させるか、複数組み合わせて表示させるかにつき選択指示があるかが確認される（ステップＳ２８）。センサ情報選択部４７に対して何らかの選択指示がある場合（ステップＳ２８でＹｅｓ）、その指示に従った表示が行われるよう、調光手段４に対して信号が送信される（ステップＳ２８１）。一方、センサ情報選択部４７に対して選択指示が無い場合（ステップＳ２７でＮｏ）は、同様にライブ風向・風速データ情報による演出効果信号に基づく表示のみがそのまま継続されることになる。
【００８５】
かかる表示にあたり、複数の表示部（副表示部）が存在するかが確認され（ステップＳ２９）、副表示部が存在しない場合（副表示部の電源が切断されている場合も含む）は（ステップＳ２９でＮｏ）、建造物１の表示部２のみで表示が行われる（ステップＳ３１）。一方、本実施形態のように副表示部６１が存在する場合（ステップＳ２９でＹｅｓ）、表示部２と副表示部６１とでの表示が行われる（ステップＳ３２）。
【００８６】
以上、本発明の実施形態につき説明したが、上記した以外に様々な実施態様を採ることが可能である。例えば、上述の実施形態ではライブ動作情報の取得対象として風向・風速、タッチ動作、音声を例示したが、この他に河の流れや潮流などの水の流れ、気温や雨量等の天候状況や視界状況、空気清浄度などもライブ動作情報の取得対象とすることができる。これらの場合、センシング要素として流量・流速センサ、温度センサ、雨量計、気体成分センサ等を用いれば良い。さらに人為的なライブ動作として、走る、飛ぶ、漕ぐ、握る、押すなどのライブ動作も検知対象とすることができる。
【００８７】
また表示部２の態様につき、高層ビル等の建造物１に設置する円筒型のものを中心に説明したが、フラットな表示面であっても勿論良い。また副表示部６１についても、オブジェ以外の箇所に設置したり、或いはＩＳＤＮ回線等を用いて遠隔地に表示情報を伝送して表示させたりするようにしても良い。
【００８８】
さらに制御手段４において、演出効果信号発生部４３が生成した演出効果信号を時間軸に関連づけて記憶させるためのＲＡＭ等の記憶部を設け、表示部２における表現履歴を記憶可能としておいても良い。これにより、例えば一日の風向・風速の変動具合を定時刻にダイジェスト的に表現させたり、最大風速や平均風速を求めてこれを表示部２にて表示させたりすることが可能となり、その趣向性、実用性をより高めることができる。
【図面の簡単な説明】
【００８９】
【図１】本発明の第１実施形態に係るライトアップシステムの一実施形態を示す全体図である。
【図２】表示部の具体的態様を示す拡大図であり、（ａ）は正面図を、（ｂ）は側面図をそれぞれ示している。
【図３】本発明の第１実施形態に係るライトアップシステムの具体的構成を示すブロック図である。
【図４】本発明の第１実施形態の動作を説明するためのフローチャートである。
【図５】演出効果の一例を示す模式図である。
【図６】演出効果の一例を示す模式図である。
【図７】本発明の第２実施形態に係るライトアップシステムの一実施形態を示す全体図である。
【図８】本発明の第２実施形態に係るライトアップシステムの具体的構成を示すブロック図である。
【図９】本発明の第２実施形態の動作を説明するためのフローチャートである。
【図１０】演出効果の一例を示す模式図である。
【図１１】演出効果の一例を示す模式図である。
【図１２】演出効果の一例を示す模式図である。
【図１３】演出効果の一例を示す模式図である。
【符号の説明】
【００９０】
１      建造物
２      表示部
２１    照明器具
３      センシング要素
３１    風向・風速センサ
３２    音声検知センサ
４      制御手段
５      調光手段
６      オブジェ（部）
６１    副表示部
６２    接触検知センサ
７      外部データ入力部
【図１】
2005209555.tif 000003
【図２】
2005209555.tif 000004
【図３】
2005209555.tif 000005
【図４】
2005209555.tif 000006
【図５】
2005209555.tif 000007
【図６】
2005209555.tif 000008
【図７】
2005209555.tif 000009
【図８】
2005209555.tif 000010
【図９】
2005209555.tif 000011
【図１０】
2005209555.tif 000012
【図１１】
2005209555.tif 000013
【図１２】
2005209555.tif 000014
【図１３】
2005209555.tif 000015